(57)【要約】【課題】  安定して磁気情報の読み込み及び書き込みができる磁気記録装置を提供する。【解決手段】  本発明に係る磁気記録装置１０，３０は、磁気テープＴに摺接するように取り付けられた磁気ヘッド２４，４１と、磁気ヘッド２４，４１を磁気テープＴに対して進退駆動可能に保持するヘッド駆動部２２，４２と、磁気テープＴの走行速度を測定するテープ走行速度測定部１６とを備え、磁気テープＴの走行速度に基づいて、磁気ヘッド２４，４１の突出量を設定し、該突出量に応じてヘッド駆動部２２，４２を駆動制御するための駆動信号を出力するヘッド突出量演算部１８を備えている。【選択図】  図３
2007035227.tif 000002
【特許請求の範囲】
【請求項１】
走行する磁気テープに磁気記録・再生を行う磁気記録装置であって、
前記磁気テープに摺接するように取り付けられた磁気ヘッドと、
前記磁気ヘッドを前記磁気テープに対して進退駆動可能に保持するヘッド駆動部と、
前記磁気テープの走行速度を測定するテープ走行速度測定部とを備え、
前記磁気テープの走行速度に基づいて、前記磁気ヘッドの突出量を設定し、該突出量に応じて前記ヘッド駆動部を駆動制御するための駆動信号を出力するヘッド突出量演算部を備えていることを特徴とする磁気記録装置。
【発明の詳細な説明】
【技術分野】
【０００１】
本発明は、磁気記録装置及び磁気記録方法に関し、特に、磁気情報の記録及び再生を安定して行うことができる磁気記録装置に関する。
【背景技術】
【０００２】
従来、ビデオテープレコーダ（ＶＴＲ）、デジタルオーディオテープレコーダ（Ｒ−ＤＡＴ）等の磁気記録及び磁気再生を行う磁気記録装置（以下、単に装置ともいう。）は、磁気ヘッドによって走行する磁気テープへ磁気情報を書き込み、また、磁気テープから情報を読み込むものがある。
【発明の開示】
【発明が解決しようとする課題】
【０００３】
ところで、上記のように磁気ヘッドを備えた磁気記録装置では、操作設定されたデータ転送速度に応じて磁気テープの走行速度を変更することで磁気情報の読み込みや書き込みを行うことがある。この場合、磁気テープの走行速度が変更されると、磁気テープと該磁気テープに摺接する磁気ヘッドとのスペーシングが変わり、エラーレートが変化する。このため、磁気ヘッドによるデータ読み込みや書き込みが安定して行うことができなくなるといった点で改善の余地があった。
【０００４】
本発明は、上記事情に鑑みてなされたもので、その目的は、安定して磁気情報の読み込み及び書き込みができる磁気記録装置及び磁気記録方法を提供することにある。
【課題を解決するための手段】
【０００５】
本発明の上記目的は、走行する磁気テープに磁気記録・再生を行う磁気記録装置であって、前記磁気テープに摺接するように取り付けられた磁気ヘッドと、前記磁気ヘッドを前記磁気テープに対して進退駆動可能に保持するヘッド駆動部と、前記磁気テープの走行速度を測定するテープ走行速度測定部とを備え、前記磁気テープの走行速度に基づいて、前記磁気ヘッドの突出量を決定し、該突出量に応じて前記ヘッド駆動部を駆動制御するための駆動信号を出力するヘッド突出量演算部を備えていることを特徴とする磁気記録装置によって達成される。
【０００６】
また、本発明の上記目的は、走行する磁気テープに磁気記録・再生を行う磁気記録方法であって、磁気記録・再生を行う磁気ヘッドを前記磁気テープに摺接させた状態で前記磁気テープを走行させ、前記磁気テープの走行速度を測定し、測定された前記磁気テープの走行速度に基づいて、前記磁気ヘッドの突出量を決定し、該突出量に応じて、前記磁気ヘッドを磁気テープに対して駆動制御することを特徴とする磁気記録方法によって達成される。
【０００７】
本発明は、磁気記録・再生時に、磁気テープの走行速度を測定し、測定した磁気テープの走行速度に基づき、磁気ヘッドの突出量を演算している。そして、ヘッド駆動部を制御することで演算された磁気ヘッドの突出量に設定するものである。こうすれば、データ転送速度に応じて磁気テープの走行速度を変更して磁気情報の読み込みや書き込みを行う場合に、磁気テープの走行速度に応じて磁気ヘッドの突出量を調整することができ、エラーレートが変化することを防止することができる。このため、磁気ヘッドによるデータ読み込みや書き込みが安定して行うことができる。
【発明の効果】
【０００８】
本発明によれば、安定して磁気情報の読み込み及び書き込みができる磁気記録装置及び磁気記録方法を提供できる。
【発明を実施するための最良の形態】
【０００９】
以下、本発明の実施形態を図面に基づいて詳しく説明する。
図１は、本発明に係る磁気記録装置の第１実施形態を示す構成図である。図２は、図１の磁気記録装置の制御系を示すブロック図である。図３は、磁気記録装置の磁気ヘッドの構成を示す図である。
【００１０】
磁気記録装置１０は、筐体１１を有している。筐体１１の内部には、磁気記録・再生時に記録媒体として使用する磁気テープＴの両端部が巻回された一対のテープリール１２，１３が設けられている。
【００１１】
磁気記録装置１０において、一対のテープリール１２，１３のうち送り側のテープリール１２から送り出された磁気テープＴを、複数のテープガイド１５で案内しつつ走行させ、所定の走行経路に沿って走行させた後、巻き取り側のテープリール１３によって巻き取る構成である。
【００１２】
磁気テープＴの走行経路の途中には、磁気ヘッドユニット２０が設けられている。磁気ヘッドユニット２０は、磁気記録時に、走行するテープに磁気情報を書き込み、また、再生時には、磁気テープに記録された磁気情報を読み出す動作を行う。
【００１３】
図３に示すように、磁気ヘッドユニット２０は、磁気記録・再生時に、走行する磁気テープＴに摺接する磁気ヘッド２４と、該磁気ヘッド２４が取り付けられたヘッド取付部２３と、ヘッド取付部２３を図３の矢印Ｅ方向に示すように駆動可能な状態で保持するヘッド駆動部２２とを備えている。
【００１４】
本実施形態において、磁気ヘッド２４は磁気テープに対して固定された、いわゆる、リニア方式と呼ばれるものである。磁気テープＴは、その走行方向において磁気ヘッドユニット２０の上流側及び下流側でそれぞれガイドローラに支持されつつ走行し、固定された磁気ヘッドユニット２０の所定の突出量に配置された磁気ヘッド２４の記録部に摺接する。
【００１５】
ヘッド駆動部２２として、例えば、ピエゾ素子（圧電素子）を使用することができる。ヘッド駆動部２２は、駆動電圧を印加されることで図３中の矢印Ｅ方向に変位する構成である。本実施形態では、磁気テープＴに対して磁気ヘッド２４を進退させる方向が矢印Ｅ方向と等しい方向となるように磁気ヘッドユニット２０を構成している。このため、ヘッド駆動部２２を駆動制御することにより、該ヘッド駆動部２２に保持されたヘッド取付部２３を介して、磁気ヘッド２４が磁気テープＴに対して進退する方向に変位する。このように、磁気ヘッド２４が磁気テープＴに対して進退させることで、磁気ヘッド２４の突出量を変化させることができる。
【００１６】
図１に示すように、本実施形態の磁気テープＴの走行経路において、磁気ヘッドユニット２０の上流側に磁気テープＴの走行速度を測定するテープ走行速度測定部１６が設けられている。
【００１７】
また、本実施形態の磁気記録装置１０は、テープ走行速度測定部１６、及び、磁気ヘッドユニットに電気的に接続されたヘッド突出量演算部１８を備えている。
【００１８】
図１及び図２に示すように、磁気記録・再生時に、走行する磁気テープＴの走行速度をテープ走行速度測定部１６によって測定し、テープ走行速度測定部１６が測定した走行速度をヘッド突出量演算部１８に出力する。ヘッド突出量演算部１８は、入力された走行速度に基づいて、エラーレートを一定に維持できる磁気ヘッド２４のヘッド突出量を決定し、このヘッド突出量だけ磁気ヘッド２４を磁気テープＴに対して進退駆動させるように、ヘッド駆動部２２に制御信号を出力する。そして、ヘッド駆動部２２は、制御信号に従って所定の量だけ変位して、ヘッド取付部２３を介して磁気ヘッド２４の位置を進退駆動させる。
【００１９】
磁気記録・再生時に、磁気テープＴの走行速度を測定し、測定した磁気テープＴの走行速度に基づき、磁気ヘッド２４の突出量を演算している。そして、ヘッド駆動部２２を制御することで演算された磁気ヘッド２４の突出量に設定するものである。こうすれば、データ転送速度に応じて磁気テープＴの走行速度を変更して磁気情報の読み込みや書き込みを行う場合に、磁気テープＴの走行速度に応じて磁気ヘッド２４の突出量を調整することができ、エラーレートが変化することを防止することができる。このため、磁気ヘッド２４によるデータ読み込みや書き込みが安定して行うことができる。
【００２０】
図４に、本発明に係る磁気記録装置の第２実施形態を示す構成図である。なお、以下に説明する実施形態において、すでに説明した部材などと同等な構成・作用を有する部材等については、図中に同一符号又は相当符号を付すことにより、説明を簡略化或いは省略する。本実施形態の磁気記録装置の基本的な構成は、第１実施形態のものと同一であり、以下、本実施形態において第１実施形態とは相違する点について説明する。
【００２１】
本実施形態の磁気記録装置３０は、回転ドラム１４を回転駆動することで走行する磁気テープＴに摺接させ、該回転ドラム１４の周面に設けられた磁気ヘッド２１によって、磁気テープＴに磁気情報を書き込む磁気記録と磁気テープＴに書き込まれた磁気情報を読み出す磁気再生を行う、ヘリカルスキャン方式である。
【００２２】
図５は、図４中のＸ部分の構成を説明する拡大図である。図４及び図５に示すように、磁気ヘッドユニット４０は、回転ドラム４４と、この回転ドラム４４の周面から外方に突出する磁気ヘッド４１とを備えている。磁気ヘッド４１は、回転ドラム４４の周方向に等間隔で複数配置されている。
【００２３】
磁気ヘッド４１の、突出する先端側に対して反対側の端部には、磁気ヘッド４１を回転ドラム４４の径方向、つまり、磁気ヘッド４１を突出させる方向に進退駆動させるヘッド駆動部４２が設けられている。ヘッド駆動部４２としては、上記実施形態と同様にピエゾ素子を使用することができる。
【００２４】
ヘッド駆動部４２は、ヘッド突出量演算部１８に電気的に接続されており、磁気記録・再生時に、磁気テープＴの走行速度に基づいて決定された突出量となるようにヘッド突出量演算部１８から入力された制御信号に応じて、磁気ヘッド４１を進退駆動させる。
【００２５】
本実施形態の構成によれば、データ転送速度に応じて磁気テープＴの走行速度を変更して磁気情報の読み込みや書き込みを行う場合に、磁気テープＴの走行速度に応じて磁気ヘッド４１の突出量を調整することができ、エラーレートが変化することを防止することができる。このため、磁気ヘッド４１によるデータ読み込みや書き込みが安定して行うことができる。
【図面の簡単な説明】
【００２６】
【図１】本発明に係る磁気記録装置の第１実施形態を示す構成図である。
【図２】図１の磁気記録装置の制御系を示すブロック図である。
【図３】磁気記録装置の磁気ヘッドの構成を示す図である。
【図４】本発明に係る磁気記録装置の第２実施形態を示す構成図である。
【図５】図４中のＸ部分の構成を説明する拡大図である。
【符号の説明】
【００２７】
１０    磁気記録装置
１６    テープ走行速度測定部
１８    ヘッド突出量演算部
２０    磁気ヘッドユニット
２２    ヘッド駆動部
２４    磁気ヘッド
Ｔ      磁気テープ
【図１】
2007035227.tif 000003
【図２】
2007035227.tif 000004
【図３】
2007035227.tif 000005
【図４】
2007035227.tif 000006
【図５】
2007035227.tif 000007